(57)【要約】【課題】かごフレームに関係する加工処理を最小限に抑えながら、バランスウェイトに対する十分な保持力を確保できる乗かご用バランスウェイトの取り付け構造の提供。【解決手段】本発明は、縦断面がコ字形状のかごフレーム２に、このかごフレーム２に保持されるフック部３ａを有し、乗かご１の重量バランスを確保するバランスウェイト３を取り付けるものにあって、かごフレーム２の側面部２ｃに係合するフック部４ａ，５ａと、かごフレーム２の上面部２ａの穴７に係合する突起部４ｂ，５ｂとを有する第１，第２ロック金具４，５を備え、これらの第１，第２ロック金具４，５のフック部４ａ，５ａとかごフレーム２の側面部２ｃとの係合、及び突起部４ｂ，５ｂとかごフレーム２の上面部２ａとの係合を介して、かごフレーム２にバランスウェイト３を取り付ける構成にしてある。【選択図】図１
2013173609.tif 000002
【特許請求の範囲】
【請求項１】
エレベータの乗かごを支持し、上面部、下面部、及びこれらの上面部と下面部を接続する側面部を有する縦断面がコ字形状のかごフレームに、このかごフレームの前記下面部に保持されるフック部を有し、前記乗かごの重量バランスを確保するバランスウェイトを取り付ける乗かご用バランスウェイトの取り付け構造において、
前記かごフレームの前記側面部に係合する第１係合部と、前記かごフレームの前記上面部に係合する第２係合部とをそれぞれ有するロック金具を備え、
このロック金具の前記第１係合部と前記かごフレームの前記側面部との係合、及び前記ロック金具の第２係合部と前記かごフレームの前記上面部との係合を介して、前記かごフレームに前記バランスウェイトを取り付けたことを特徴とする乗かご用バランスウェイトの取り付け構造。
【請求項２】
請求項１に記載の乗かご用バランスウェイトの取り付け構造において、
前記かごフレームの前記上面部に所定間隔で複数の穴を形成し、
前記ロック金具は、前記第１係合部が前記かごフレームの前記側面部に係止されるフック部から成り、前記第２係合部が前記かごフレームの前記複数の穴に選択的に挿入可能な突起部から成ることを特徴とする乗かご用バランスウェイトの取り付け構造。
【請求項３】
請求項２に記載の乗かご用バランスウェイトの取り付け構造において、
前記バランスウェイトに取り付けられ、前記ロック金具を前記バランスウェイトに対して回動可能に保持させる軸と、
前記バランスウェイトに取り付けられ、前記第１係合部及び前記第２係合部が前記かごフレームから離れる方向の前記ロック金具の回動を規制するストッパとを備え、
前記バランスウェイトの前記フック部の高さ寸法を、前記かごフレームの前記下面部と前記上面部との距離よりも小さく設定し、
前記ロック金具の上端部と下端部との間の部分に前記軸を装着させ、前記バランスウェイトの前記フック部を前記かごフレームの前記上面部と前記側面部と前記下面部とによって形成される空間部に挿入させた際に、前記ロック金具の前記軸と前記下端部との間に位置する部分を前記かごフレームの前記下面部の端部に当接可能な長さ寸法に設定したことを特徴とする乗かご用バランスウェイトの取り付け構造。
【発明の詳細な説明】
【技術分野】
【０００１】
本発明は、エレベータの乗かごを支持するかごフレームに、乗かごの重量バランスを確保するバランスウェイトを取り付ける乗かご用バランスウェイトの取り付け構造に関する。
【背景技術】
【０００２】
図４は従来の乗りかご用バランスウェイトの取り付け構造を示す斜視図、図５は図４に示す従来技術の側面図である。
【０００３】
これらの図４，５に示すように、エレベータに備えられる乗かご用バランスウェイトの取り付け構造は、図示しないエレベータの乗かごを支持するかごフレーム２に、乗かごの重量バランスを確保するバランスウェイト３を取り付けるようにした構造である。かごフレーム２は、上面部２ａ、下面部２ｂ、及びこれらの上面部２ａと下面部２ｂとを接続する側面部２ｃを有し、縦断面がコ字形状に形成されている。バランスウェイト３は上部部分に、かごフレーム２の下面部２ｂに保持されるフック部３ａを有している。
【０００４】
従来の乗かご用バランスウェイトの取り付け構造は、かごフレーム２の上面部２ａと、下面部２ｂと、側面部２ｃとによって形成される空間部にバランスウェイト３のフック部３ａを挿入し、例えばこの状態で乗かごの重量バランスを確保できる位置にバランスウェイト３を位置決めする。この状態においてバランスウェイト３とは別体に設けられ、上方部分の一部がフック形状に形成された支え部材１０をかごフレーム２とバランスウェイト３とを覆うように配置する。さらに、バランスウェイト３とは別体に設けられた振れ止め部材１１，１２を、バランスウェイト３の両側部に配置する。
【０００５】
このようにバランスウェイト３のフック部３ａがかごフレーム２の下面部２ｂに保持されている状態において、支え部材１０の上面部１０ａに形成された穴１０ａ１に、図５に示すようにボルト１３を挿入し、ボルト１３に係合する保持クリップ１４でかごフレーム２の上面部２ａを挟持させる。これによって支え部材１０がかごフレーム２に固定され、バランスウェイト３の前後方向、すなわち、かごフレーム２の長手方向と直交する方向の動きがかごフレーム２と支え部材１０とによって規制される。また、振れ止め部材１１，１２に形成された穴１１ａ等にボルト１３を挿入し、そのボルト１３に係合する保持クリップ１４でかごフレーム２の下面部２ｂを挟持させる。これによって振れ止め部材１１，１２のそれぞれがかごフレーム２に固定され、かごフレーム２の長手方向に対するバランスウェイト３の動きが振れ止め部材１１，１２によって規制される。
【０００６】
しかし、上述のようにして保持クリップ１４の挟持力を介してバランスウェイト３をかごフレーム２に取り付けるようにした従来技術にあっては、保持クリップ１４の挟持力が十分に確保されていない場合、偶発的な外力を受けた際などにバランスウェイト３が動いてしまい、乗かごの重量バランスが崩れることも起こり得る。場合によっては脱落してしまう懸念もある。このような状況から、バランスウェイト３をかごフレーム２に取り付けるに際し、例えば特許文献１に示されるようなロック機構を設けることが考えられる。
【０００７】
特許文献１に記載された発明は、本発明とは取り付け対象物が異なってバッテリを取り付ける構造であるが、バッテリに形成した切り欠き部に係合するフックと、このフックと一体に設けた作用板及び力点板と、作用板を押圧することによりバッテリの切り欠き部とフックとの係合を解除させるボタンと、このボタンを待機位置に付勢するコイルばねとを備えた構成となっている。なお、力点板はバッテリの底部をてこの原理により持ち上げるもので、ボタンが押圧されると、力点板が上方向に回動してバッテリを離脱させる方向に持ち上げるようになっている。
【先行技術文献】
【特許文献】
【０００８】
【特許文献１】特開平１０−１４４２７４号公報
【発明の概要】
【発明が解決しようとする課題】
【０００９】
特許文献１に示される従来技術は、バッテリをロックすることによって、このバッテリが移動しないように安定した保持が可能と思われるが、この特許文献１に示される従来技術を前述したエレベータに備えられる乗かご用バランスウェイトの取り付け構造に適用しようとすると、バランスウェイトを保持固定する側となるかごフレームにフックと、作用板と、力点板を含む一体構造物、及びボタンとコイルスプリングを付設しなければならず、付加構造物が多くなり、多大の加工、改造が必要となる。また、バランスウェイトは重量が大きく嵩むため比較的軽量と考えられるバッテリよりも安定して保持できる堅牢な機構が要求される。したがって、特許文献１に示される従来技術におけるように、コイルばねとフックを含む組み合わせ程度の簡単なロック機構では、バランスウェイトに対する十分な保持力の確保が困難となりやすい。
【００１０】
本発明は、前述した従来技術における実状からなされたもので、その目的は、かごフレームに関係する加工処理を最小限に抑えながら、バランスウェイトに対する十分な保持力を確保することができる乗かご用バランスウェイトの取り付け構造を提供することにある。
【課題を解決するための手段】
【００１１】
前記目的を達成するために、本発明に係る乗かご用バランスウェイトの取り付け構造は、エレベータの乗かごを支持し、上面部、下面部、及びこれらの上面部と下面部を接続する側面部を有する縦断面がコ字形状のかごフレームに、このかごフレームの前記下面部に保持されるフック部を有し、前記乗かごの重量バランスを確保するバランスウェイトを取り付ける乗かご用バランスウェイトの取り付け構造において、前記かごフレームの前記側面部に係合する第１係合部と、前記かごフレームの前記上面部に係合する第２係合部とをそれぞれ有するロック金具を備え、このロック金具の前記第１係合部と前記かごフレームの前記側面部との係合、及び前記ロック金具の第２係合部と前記かごフレームの前記上面部との係合を介して、前記かごフレームに前記バランスウェイトを取り付けたことを特徴としている。
【００１２】
このように構成した本発明は、かごフレームに関係する加工処理を考えた場合、ロック金具の第１係合部との係合を可能にするように、かごフレームの側面部に関係する形状処理を考慮することや、ロック金具の第２係合部との係合を可能にするように、かごフレームの上面部に関係する形状処理を考慮すればよく、かごフレームに対して付加物を設けることを考慮しないで済む。したがって、かごフレームに関係する加工処理を最小限に抑えることができる。また、ロック金具の第１係合部がかごフレームの側面部に係合することによって、前後方向、すなわち、かごフレームの長手方向に直交する方向の動きを規制するようにバランスウェイトをかごフレームにロック保持させることができる。また、バランスウェイトに配置されたロック金具の第２係合部がかごフレームの上面部に係合することによって、かごフレームの長手方向に沿う方向のバランスウェイトの動きを規制するように、バランスウェイトをかごフレームにロック保持させることができる。すなわち、かごフレームに対して水平面上のあらゆる方向に対して移動不能にバランスウェイトをロック保持し、このバランスウェイトに対する十分な保持力を確保することができる。
【００１３】
また本発明は、前記発明において、前記かごフレームの前記上面部に所定間隔で複数の穴を形成し、前記ロック金具は、前記第１係合部が前記かごフレームの前記側面部に係止されるフック部から成り、前記第２係合部が前記かごフレームの前記複数の穴に選択的に挿入可能な突起部から成ることを特徴としている。
【００１４】
このように構成した本発明は、かごフレームにバランスウェイトを取り付ける際には、ロック金具のフック部がかごフレームの側面部に係止され、ロック金具の突起部がかごフレームの上面部の複数の穴のいずれかに選択的に挿入される。これにより、バランスウェイトはかごフレームにロックした状態に保持される。したがって、かごフレームに関係する加工処理は、上面部に穴を形成する加工処理だけで済む。
【００１５】
また本発明は、前記発明において、前記バランスウェイトに取り付けられ、前記ロック金具を前記バランスウェイトに対して回動可能に保持させる軸と、前記バランスウェイトに取り付けられ、前記第１係合部及び前記第２係合部が前記かごフレームから離れる方向の前記ロック金具の回動を規制するストッパとを備え、前記バランスウェイトの前記フック部の高さ寸法を、前記かごフレームの前記下面部と前記上面部との距離よりも小さく設定し、前記ロック金具の上端部と下端部との間の部分に前記軸を装着させ、前記バランスウェイトの前記フック部を前記かごフレームの前記上面部と前記側面部と前記下面部とによって形成される空間部に挿入させた際に、前記ロック金具の前記軸と前記下端部との間に位置する部分を、前記かごフレームの前記下面部の端部に当接可能な長さ寸法に設定したことを特徴としている。
【００１６】
このように構成した本発明は、かごフレームにバランスウェイトを取り付けるには、ロック金具のフック部及び突起部が、かごフレームの上面部から離れる方向に位置するように、例えばロック金具をストッパに当接させた状態において、かごフレームの上面部、側面部、及び下面部で形成される空間部にバランスウェイトのフック部を挿入させて、押し込むことが行われる。
【００１７】
この間、軸よりも下方に位置するロック金具の部分がかごフレームの下面部の端部に当接する。バランスウェイトのフック部をかごフレームの上面部、側面部、及び下面部によって形成される空間部内に押し込む動作に伴って、ロック金具の軸よりも下方の部分が、かごフレームの下面部の端部から受ける力により、ロック金具がストッパから離れる方向に回動し、ロック金具のそれぞれのフック部の下端及び突起部の下端が、かごフレームの上面部の表面、すなわち上面を摺動する。ロック金具のフック部がかごフレームの上面部を越え、また、ロック金具のそれぞれの突起部がかごフレームの上面部の穴に適合した位置で、バランスウェイトのフック部がバランスウェイトの自重により、かごフレームの下面部に当接して載置されるまで降下する。
【００１８】
これにより、ロック金具のフック部は、かごフレームの側面部に対向するように位置し、ロック金具の突起部はかごフレームの上面部の穴に挿入され、バランスウェイトはかごフレームにロック保持される。なお、前述とは逆の動作によって、かごフレームに対するバランスウェイトのロックを解除することができる。
【００１９】
このように構成した本発明は、バランスウェイトのフック部を、かごフレームの上面部、下面部、及び側面部によって形成される空間部に押し込む動作によって、かごフレームにバランスウェイトを簡単にロック保持させることができる。
【発明の効果】
【００２０】
本発明は、かごフレームに対して付加物を設けることなく、かごフレームに対しては、このかごフレームの側面部や上面部の形状に関係する加工処理だけ考慮すればよく、これによりかごフレームに関係する加工処理を最小限に抑えることができる。したがって、実用性に富む。また、バランスウェイトに設けられるロック金具の第１係合部と第２係合部を介して、バランスウェイトをかごフレームの長手方向に対し、また、この長手方向と直交する方向に対して移動しないように確実にロックさせることができる。これにより、バランスウェイトに対する十分な保持力を確保でき、従来技術に比べて信頼性の高い乗かご用バランスウェイトの取り付け構造を実現させることができる。
【図面の簡単な説明】
【００２１】
【図１】本発明に係る乗かご用バランスウェイトの取り付け構造の一実施形態を示す斜視図である。
【図２】図１の要部拡大縦断面図である。
【図３】本実施形態の動作を示す側面図である。
【図４】従来の乗りかご用バランスウェイトの取り付け構造を示す斜視図である。
【図５】図４に示す従来技術の側面図である。
【発明を実施するための形態】
【００２２】
以下、本発明に係る乗かご用バランスウェイトの取り付け構造の実施の形態を図に基づいて説明する。
【００２３】
図１は本発明に係る乗かご用バランスウェイトの取り付け構造の一実施形態を示す斜視図、図２は図１の要部拡大縦断面図である。
【００２４】
本実施形態に係る乗かご用バランスウェイトの取り付け構造も、エレベータに備えられるものであり、図１，２に示すように、乗りかご１を支持するかごフレーム２に、のりかご１の重量バランスを確保するバランスウェイト３を取り付ける構造である。前述したようにかごフレーム２は、上面部２ａ、下面部２ｂ、及びこれらの上面部２ａと下面部２ｂとを接続する側面部２ｃを有し、縦断面がコ字形状に形成されている。バランスウェイト３は上部部分に、かごフレーム２の下面部２ｂに保持されるフック部３ａを有し、例えば側面視が逆Ｔ字状を形成する重量物から成っている。
【００２５】
本実施形態は、バランスウェイト３の両側部３ｂ，３ｃのそれぞれに取り付けられ、かごフレーム２の側面部２ｃに係合する第１係合部と、かごフレーム２の上面部２ａに係合する第２係合部とをそれぞれ有するロック金具、すなわち第１ロック金具４と第２ロック金具５とを備えている。これらの第１ロック金具４と第２ロック金具５は例えば同一の形状寸法に設定してある。
【００２６】
かごフレーム２の上面部２ａには所定間隔で複数の穴７を形成してある。また、第１ロック金具４及び第２ロック金具５のそれぞれは、前述した第１係合部が、かごフレーム２の側面部２ｃに係止されるフック部４ａ，５ａから成り、前述した第２係合部が、かごフレーム２の上面部２ａに形成した複数の穴７に選択的に挿入可能な突起部４ｂ，５ｂから成っている。第１，第２ロック金具４，５のフック部４ａ，５ａとかごフレーム２の側面部２ｃとの係合、及び第１，第２ロック金具４，５の突起部４ｂ，５ｂとかごフレーム２の上面部２ａに形成した穴７との係合を介して、かごフレーム２にバランスウェイト３を取り付けるようにしてある。
【００２７】
また、本実施形態は、バランスウェイト３に取り付けられ、第１，第２ロック金具４，５のそれぞれをバランスウェイト３に対して回動可能に保持させる軸６と、第１，第２ロック金具４，５のそれぞれの第１係合部及び第２係合部がかごフレーム２から離れる方向の回動を規制するストッパ８とを備えている。ストッパ８はバランスウェイト３の側面３ｂ，３ｃのそれぞれに取り付けてある。
【００２８】
また、本実施形態は、図２に示すように、バランスウェイト３のフック部３ａの高さ寸法をかごフレーム２の下面部２ｂの上面と上面部２ａの下面との距離よりも低く設定してある。前述した軸６は、第１，第２ロック金具４，５のそれぞれの上端部４ｃ等と下端部４ｄ等との間の部分に装着させてある。軸６と下端部４ｄ等との間に位置する第１，第２ロック金具４，５のそれぞれの部分は、バランスウェイト３のフック部３ａをかごフレーム２の上面部２ａと側面部２ｃと下面部２ｂとによって形成される空間部に挿入させた際に、かごフレーム２の下面部２ｂの端部２ｂ１に当接可能な長さ寸法に設定してある。
【００２９】
図３は本実施形態の動作を示す側面図である。
【００３０】
乗かごの重量バランスを確保できるかごフレーム２の長さ方向の所望の位置にバランスウェイト３を配置した状態で、上述の構成のかごフレーム２に上述の構成のバランスウェイト３が取り付けられる。
【００３１】
すなわち、最初に、第１，第２ロック金具４，５のそれぞれのフック部４ａ，５ａ、及び突起部４ｂ，５ｂが、かごフレーム２の上面部２ａから離れる方向に位置するようにした状態において、例えば図３の（ａ）図に示すように、第１，第２ロック金具４，５のそれぞれをストッパ８に当接させた状態において、かごフレーム２の上面部２ａ、側面部２ｃ、及び下面部２ｂで形成される空間部にバランスウェイト３のフック部３ａを挿入させて、押し込むことが行われる。
【００３２】
この間、同図３の（ｂ）図に示すように、軸６よりも下方に位置する第１，第２ロック金具４，５の部分が、かごフレーム２の下面部２ｂの端部２ｂ１に当接する。バランスウェイト３のフック部３ａをかごフレーム２の上面部２ａ、側面部２ｃ、及び下面部２ｂによって形成される空間部内にさらに押し込む動作に伴って、かごフレーム２の下面部２ｂの端部２ｂ１から第１，第２ロック金具４，５の軸６よりも下方の部分が受ける力により、第１，第２ロック金具４，５がストッパ８から離れる方向に回動するとともに、第１，第２ロック金具４，５のそれぞれのフック部４ａ，５ａの下端及び突起部４ｂ，５ｂの下端が、かごフレーム２の上面部２ａの表面上を摺動する。
【００３３】
同図３の（ｃ）図に示すように、第１，第２ロック金具４，５のそれぞれのフック部４ａ，５ａがかごフレーム２の上面部２ａを超え、突起部４ｂ，５ｂがかごフレーム２の上面部２ａの穴７に適合した位置で、バランスウェイト３のフック部３ａがバランスウェイト３の自重により、かごフレーム２の下面部２ｂに当接して載置されるまで降下する。
【００３４】
これにより、第１，第２ロック金具４，５のそれぞれのフック部４ａ，５ａは、かごフレーム２の側面部２ａに対向するように位置し、第１，第２ロック金具４，５のそれぞれの突起部４ｂ，５ｂはかごフレーム２の上面部２ａの穴７に挿入され、バランスウェイト３はかごフレーム２にロック保持される。なお、前述とは逆の動作によって、かごフレーム２に対するバランスウェイト３のロックを解除することができる。
【００３５】
上述のように構成した本実施形態は、かごフレーム２に関係する加工処理を考えた場合、第１，第２ロック金具４，５のフック部４ａ，５ａの係合を可能にするように、かごフレーム２の側面部２ｃに関係する形状処理を考慮することや、第１，第２ロック金具４，５の突起部４ｂ，５ｂとの係合を可能にするように、かごフレーム２の上面部２ａに関係する形状処理を考慮すればよく、かごフレーム２に対して付加物を設けることを考慮しないで済む。すなわち、前述のように本実施形態では、かごフレーム２の上面部２ａに複数の穴７を形成するようにしてあるが、かごフレーム２の側面部２ｂの加工処理はなされていない。したがって、本実施形態によれば、かごフレーム２に関係する加工処理を最小限に抑えるとこができ、実用性に富む。
【００３６】
また、本実施形態は、第１，第２ロック金具４，５のフック部４ａ，５ａのそれぞれがかごフレーム２の側面部２ｃに係合することによって、前後方向すなわち、かごフレーム２の長手方向に直交する方向の動きを規制するようにバランスウェイト３をかごフレーム２にロック保持させることができる。また、バランスウェイト３の両側部３ｂ，３ｃに配置されたそれぞれの第１，第２ロック金具４，５の突起部４ｂ，５ｂがかごフレーム２の上面部２ａの穴７に係合することによって、かごフレーム２の長手方向に沿う方向のバランスウェイト３の動きを規制するように、バランスウェイト３をかごフレーム２にロック保持させることができる。すなわち、かごフレーム２に対して水平面上のあらゆる方向に対して移動不能にバランスウェイト３をロック保持し、このバランスウェイト３に対する十分な保持力を確保でき、信頼性の高い乗かご用バランスウェイトの取り付け構造を実現させることができる。
【００３７】
なお、本実施形態においては、バランスウェイト３の両側部のそれぞれに第１，第２ロック金具４，５を取り付けた構成をとっている。このように構成することで、１つのバランスウェイト３を安定してかごフレーム２にロック保持させることが可能である。しかし本発明はこの構成に限られるものではない。例えば、第１ロック金具４のみに第１係合部と第２係合部を設け、第２ロック金具５には第１係合部のみを設け第２係合部を設けないような構成や、第１，第２ロック金具４，５のどちらか一方に第１係合部、第２係合部の両者を設けて他方には第１係合部、第２係合部を設けない構成、第１，第２ロック金具４，５のどちらか一方に第１係合部を設け、他方に第２係合部を設けて２つ一組で本発明のロック金具として機能する構成などであってもよい。
【００３８】
また、本発明は第１，第２ロック金具４，５のように必ずしも２つの金具を設ける必要はなく、１つの金具で構成してもよいし、第１，第２ロック金具４，５を１つの板材のようなものでつないで１つの部材としてもよい。また板材で２つの第１，第２ロック金具４，５のように機能する１つのロック金具を作成し取り付ける構成を採ることも可能であり、特許請求の範囲に記載された技術範囲でさまざまな形態を採ることが可能である。
【符号の説明】
【００３９】
１    乗かご
２    かごフレーム
２ａ  上面部
２ｂ  下面部
２ｂ１  端部
２ｃ  側面部
３    バランスウェイト
３ａ  フック部
３ｂ  側部
３ｃ  側部
４    第１ロック金具
４ａ  フック部（第１係合部）
４ｂ  突起部（第２係合部）
４ｃ  上端部
４ｄ  下端部
５    第２ロック金具
５ａ  フック部（第１係合部）
５ｂ  突起部（第２係合部）
６    軸
７    穴
８    ストッパ
【図１】
2013173609.tif 000003
【図２】
2013173609.tif 000004
【図３】
2013173609.tif 000005
【図４】
2013173609.tif 000006
【図５】
2013173609.tif 000007